(57)【要約】【課題】  本発明は、アーム収納時にアームに物干し竿が掛かっていても物干し竿の位置を床面よりも十分高い所に位置させることができると共に建物の外から収納したアームに掛かっている物干し竿が見え難い物干し竿支持装置を提供する。【解決手段】  物干し竿支持装置１０のブラケット１２にはアーム保持体２２が回動可能に取り付けられ、このアーム保持体２２にはアーム１４が挿通されている。このアーム１４の背面１４Ａには第１スライド溝３２、第２スライド溝３４、第３スライド溝３６が形成され、第１スライド溝３２、第２スライド溝３４、第３スライド溝３６にはそれぞれ物干し竿支持スライダー４２がスライド可能に設けられている。また、物干し竿支持スライダー４２の物干し竿支持部５４には物干し竿挿入孔５６が貫通形成されている。【選択図】  図１
2006043250.tif 000002
【特許請求の範囲】
【請求項１】
ベランダの手摺等の取付部に取り付けられるブラケットと、このブラケットに回動可能に配設されるアーム保持体と、このアーム保持体に貫通形成されたアーム挿通部と、このアーム挿通部に挿通されるアームと、このアームの背面にアームの長手方向に沿って形成されたスライド溝と、このスライド溝にスライド可能に配設されると共にアームをブラケットに収納した時にブラケットの上方に位置する複数の物干し竿支持スライダーと、この物干し竿支持スライダーに設けられて物干し竿が差し込まれる物干し竿挿入孔と、を有してなることを特徴とする物干し竿支持装置。
【請求項２】
ベランダの手摺等の取付部に取り付けられるブラケットと、このブラケットに回動可能に配設されるアーム保持体と、このアーム保持体に貫通形成されたアーム挿通部と、このアーム挿通部に挿通されるアームと、このアームの背面にアームの長手方向に沿って形成された複数のスライド溝と、これらスライド溝にスライド可能にそれぞれ配設されると共にアームをブラケットに収納した時にブラケットの上方に位置する複数の物干し竿支持スライダーと、この物干し竿支持スライダーに設けられて物干し竿が差し込まれる物干し竿挿入孔と、を有してなることを特徴とする物干し竿支持装置。
【請求項３】
ベランダの手摺等の取付部に取り付けられるブラケットと、このブラケットに回動可能に配設されるアーム保持体と、このアーム保持体の上下方向に沿って貫通形成されたアーム挿通部と、このアーム挿通部にスライド可能に挿通されるアームと、このアームの背面にアームの長手方向に沿って形成された第１スライド溝と、前記アームの背面にスライダー停止仕切部を隔てて前記第１スライド溝に並んで形成された第２スライド溝と、前記アームの背面に前記第２スライド溝と連続して形成された第３スライド溝と、前記第２スライド溝と第３スライド溝の間に形成されたスライダー停止部と、前記第１スライド溝、第２スライド溝、第３スライド溝にそれぞれスライド可能に配設されると共にアームをブラケットに収納した時にブラケットの上方に位置する物干し竿支持スライダーと、前記アームの先端部に固定された固定物干し竿支持体と、前記物干し竿支持スライダー及び固定物干し竿支持体に形成されて物干し竿の端部が差し込まれる物干し竿挿入孔と、前記物干し竿支持スライダー間にアームが挿入された状態で配設されたスライド可能な緩衝リングと、を有してなることを特徴とする物干し竿支持装置。
【発明の詳細な説明】
【技術分野】
【０００１】
本発明は、主に集合住宅や一般住宅のベランダの手摺等に取り付けられて使用される物干し竿支持装置に関する。
【背景技術】
【０００２】
集合住宅や一般住宅のベランダの手摺等に取り付けられて使用される物干し竿支持装置が提案されている。
この物干し竿支持装置の中には図１０〜図１２に示されるようにベランダ１の手摺２に固定されるブラケット３と、このブラケット３に対してスライド可能な状態で収納されると共にブラケット３に対して回動可能なアーム４と、を備えて成る物干し竿支持装置５がある。
このタイプの物干し竿支持装置５を使用する場合は、まず、前記ブラケット３に収納されているアーム４を上方にスライドさせてからアーム４の基端部４Ａを中心にしてアーム４を回動さてアーム４を室内側に突設させる。
そして、図１０に示されるようにアーム４に複数貫通形成されている物干し竿挿入孔６に物干し竿７の端部を差し込んで物干し竿７をアーム４に掛け、物干し竿７に適宜手段を介して洗濯物を干している。
また、前記物干し竿支持装置５を使用しない場合は上述した状態のままではアーム４が室内側（図１１の右側）に突出していて邪魔になる。従って、アーム４を基端部４Ａを中心に反室内側（図１１の左側）に回動させてからアーム４を下方にスライドさせて、図１２に示されるようにアーム４を手摺２と平行状態にしてブラケット３に収納している。
しかし、この収納状態のアーム４に物干し竿７が掛かっていると物干し竿７がベランダ１の床面１Ａから近い所に位置することになる。このため、幼児が前記物干し竿７に足を掛けて梯子のようにして昇ってしまうとバルコニー１の手摺２を乗り越えてバルコニー１の外側に転落してしまう可能性がある。
そこで、公営住宅等においてはベランダ１の手摺２の乗り越え防止のために足掛かりの最低高さ基準を設けている場合がある。
このため、物干し竿支持装置５によっては足掛かりの最低高さ基準をクリアーさせるためにアームの可動範囲に制限を加えたり、取付高さ位置を規制したりしている。しかし、取付高さを規制すると物干し竿を掛けたままアームを収納すると物干し竿の位置が高くて建物外から物干し竿が見え易くなったり、物干し竿の位置が不均等になる等、外観品質が低下するという不具合がある。
【特許文献１】特開平１０−１３７４９７号公報
【発明の開示】
【発明が解決しようとする課題】
【０００３】
本発明は、上記事実に鑑みなされたものでありアームの収納時にアームに物干し竿が掛かっていても物干し竿の位置を床面よりも十分高い所に位置させることができると共に建物の外から収納したアームに掛かっている物干し竿が見え難い物干し竿支持装置を提供するものである。
【課題を解決するための手段】
【０００４】
請求項１の発明は、ベランダの手摺等の取付部に取り付けられるブラケットと、このブラケットに回動可能に配設されるアーム保持体と、このアーム保持体に貫通形成されたアーム挿通部と、このアーム挿通部に挿通されるアームと、このアームの背面にアームの長手方向に沿って形成されたスライド溝と、このスライド溝にスライド可能に配設されると共にアームをブラケットに収納した時にブラケットの上方に位置する複数の物干し竿支持スライダーと、この物干し竿支持スライダーに設けられて物干し竿が差し込まれる物干し竿挿入孔と、を有してなることを特徴としている。
請求項２の発明は、ベランダの手摺等の取付部に取り付けられるブラケットと、このブラケットに回動可能に配設されるアーム保持体と、このアーム保持体に貫通形成されたアーム挿通部と、このアーム挿通部に挿通されるアームと、このアームの背面にアームの長手方向に沿って形成された複数のスライド溝と、これらスライド溝にスライド可能にそれぞれ配設されると共にアームをブラケットに収納した時にブラケットの上方に位置する複数の物干し竿支持スライダーと、この物干し竿支持スライダーに設けられて物干し竿が差し込まれる物干し竿挿入孔と、を有してなることを特徴としている。
請求項３の発明は、ベランダの手摺等の取付部に取り付けられるブラケットと、このブラケットに回動可能に配設されるアーム保持体と、このアーム保持体の上下方向に沿って貫通形成されたアーム挿通部と、このアーム挿通部にスライド可能に挿通されるアームと、このアームの背面にアームの長手方向に沿って形成された第１スライド溝と、前記アームの背面にスライダー停止仕切部を隔てて前記第１スライド溝に並んで形成された第２スライド溝と、前記アームの背面に前記第２スライド溝と連続して形成された第３スライド溝と、前記第２スライド溝と第３スライド溝の間に形成されたスライダー停止部と、前記第１スライド溝、第２スライド溝、第３スライド溝にそれぞれスライド可能に配設されると共にアームをブラケットに収納した時にブラケットの上方に位置する物干し竿支持スライダーと、前記アームの先端部に固定された固定物干し竿支持体と、前記物干し竿支持スライダー及び固定物干し竿支持体に形成されて物干し竿の端部が差し込まれる物干し竿挿入孔と、前記物干し竿支持スライダー間にアームが挿入された状態で配設されたスライド可能な緩衝リングと、を有してなることを特徴としている。
【発明の効果】
【０００５】
本発明は、アームの収納時にアームに物干し竿が掛かっていても物干し竿の位置を床面よりも十分高い所に位置させることができるので幼児等が物干し竿に足を掛けて昇ることを防止できるという優れた効果を有する。
また、本発明は、アームの収納時に物干し竿を支持しているスライダーが下方にスライドしてブラケットに近づくので前記物干し竿が建物の外から見え難く外観品質が低下するのを防止できるという優れた効果を有する。
さらに、本発明は、取付施工時に取付位置について神経質になる必要がないので取付施工効率を低下させることがないという優れた効果を有する。
【発明を実施するための最良の形態】
【０００６】
発明を実施するために最良の形態の例として以下のような実施例を示す。
【実施例１】
【０００７】
図１〜図９には本発明に係わる物干し竿支持装置の一実施例が示されている。
図１及び図２に示されるように、物干し竿支持装置１０はベランダ１の手摺２に取り付けられるようになっている。
この物干し竿支持装置１０は一対のブラケット１２とアーム１４から構成されているが、一対のブラケット１２とアーム１４は同一形状であるため一方のブラケット１２とアーム１４について説明する。
図３に示されるように、このブラケット１２の背面部にはブラケット背板部１６が設けられている。このブラケット背板部１６の上端部には正面方向に向って回動阻止部１８が突出して形成されている（図４参照）。また、前記ブラケット背板部１６の両側にはブラケット背板部１６を挟むようにブラケット側板２０，２０が固定されている。
図４及び図５に示されるように、前記ブラケット側板２０とブラケット側板２０の間にはアーム保持体２２が配設され、アーム保持体２２はブラケット１２に横架された回動ピン２３によって矢印Ａ方向及び矢印Ｂ方向に回動可能に取り付けられている。
前記アーム保持体２２の後部にはアーム保持体２２の上下方向に向ってアーム挿通部２４が貫通形成されている。このアーム挿通部２４は平面視Ｄ字状に貫通形成されている（図６参照）。
また、前記アーム保持体２２の後部下端部には回動ストッパー部２６が連続形成されている。従って、図４に示されるように前記アーム保持体２２が矢印Ａ方向に回動しても前記回動ストッパー部２６が前記ブラケット背板部１６の回動阻止部１８に当接することによりアーム保持体２２はそれ以上矢印Ａ方向に回動するのを阻止されるようになっている。また、前記回動ストッパー部２６の背面には抜止めピン収容凹部２８が形成されている。
前記アーム挿通部２４には前記アーム１４が挿通されるようになっている。このアーム１４は前記アーム挿通部２４と同様に横断面形状がＤ字状に形成され（図９参照）、アーム１４は前記アーム挿通部２４に摺動状態で挿通されるようになっている。
また、前記アーム１４の背面下端には抜止めピン３０が突設されている。この抜止めピン３０はアーム１４を上方にスライドさせた場合に前記抜止めピン収容凹部２８に収容されることによりアーム１４がそれ以上スライドするのを停止させてアーム１４がアーム保持体２２から抜け出てしまうのを防止している（図４、図５の状態）。
図７に示されるように、前記アーム１４の背面１４Ａには下から上に向って第１スライド溝３２と、第２スライド溝３４と、第３スライド溝３６が形成されている。なお、この第１スライド溝３２と第２スライド溝３４はスライダー停止仕切部３８によって仕切られているが、第２スライド溝３４と第３スライド溝３６は連続形成されている。
前記第１スライド溝３２の溝幅と第３スライド溝３６の溝幅は同一寸法に形成されている。また、第２スライド溝３４の溝幅は前記第３スライド溝３６の溝幅よりも小さく形成され、これにより第２スライド溝３４と前記第３スライド溝３６の境にはスライダー停止部４０が形成されている。
図３に示されるように、前記第１スライド溝３２、第２スライド溝３４、第３スライド溝３６には、それぞれ物干し竿支持スライダー４２がスライド可能に設けられている。また、前記アーム１４の先端部には固定物干し竿支持体４４がビス４６によってアーム１４に固定されている。
図８及び図９に示されるように、物干し竿支持スライダー４２の物干し竿支持本体５０には前記アーム１４が挿通されるリング部５２，５２と物干し竿支持部５４が一体形成されている。この物干し竿支持部５４には物干し竿７の端部が差し込まれる物干し竿挿入孔５６が貫通形成されている。
また、前記物干し竿支持本体５０のリング部５２，５２には物干し竿支持本体５０と共に物干し竿スライダー４２を構成するスライダー本体５８が挿入され、スライダー本体５８はビス６０によって前記物干し竿支持本体５０に固定されるようになっている。
このスライダー本体５８には溝挿入ガイド片６２が一体形成されている。この溝挿入ガイド片６２は前記第１スライド溝３２、第２スライド溝３４、第３スライド溝３６に摺動状態で挿入されるようになっている。
図３に示されるように、前記固定物干し竿支持体４４にも物干し竿７の端部が差し込まれる物干し竿挿入孔５６が貫通形成されている。
また、前記物干し竿支持スライダー４２と物干し竿支持スライダー４２の間、物干し竿支持スライダー４２と固定物干し竿支持体４４の間にはアーム１４が挿入された状態で緩衝リング６４がそれぞれスライド可能に配設されている。これら緩衝リング６４はアーム１４をブラケット１２に収納状態にする時に３つの物干し竿支持スライダー４２が下方にスライドしても物干し竿支持スライダー４２同士が直接当たるのを阻止している。
【０００８】
次に、ベランダ１の手摺２に取り付けられた実施例の物干し竿支持装置１０の作用について説明する。
この物干し竿支持装置１０を使用して洗濯物を干す場合は図１に示す収納状態のアーム１４を持ち上げてアーム１４を上方にスライドさせる。すると図５に示されるようにアーム１４に突設されている抜止めピン３０が前記抜止めピン収容凹部２８に収容され、これによりアーム１４の上方へのスライドは阻止される。
また、前記第１スライド溝３２に配設されている物干し竿支持スライダー４２は自重で下がるためアーム保持体２２の上面に当接して停止し、前記第２スライド溝３４に配設されている物干し竿支持スライダー４２は自重で下がるためスライダー停止仕切部３８に当接して停止し、前記第３スライド溝３６に配設されている物干し竿支持スライダー４２は自重で下がるためスライダー停止部４０に当接して停止する。
そして、前記アーム１４を矢印Ａ方向に回動させると図４に示されるように前記アーム保持体２２の回動ストッパー部２６がブラケット背板部１６の回動阻止部１８に当接してアーム保持体２２はそれ以上矢印Ａ方向に回動するのを阻止される。従って、アーム１４は図２に示されるように傾斜状態となる。
これにより、物干し竿支持スライダー４２の物干し竿挿入孔５６に物干し竿７の端部を差し込むことによりアーム１４に物干し竿７を掛けることができるので、これら物干し竿７に図示しない洗濯物を適宜手段を介して吊り下げることにより洗濯物を干すことができる。
また、前記物干し竿支持装置１０を使用しない場合は図２に示される状態のままではアーム１４がベランダ１に傾斜状態で突出しているため邪魔になるのでアーム１４をブラケット１２に収納する必要がある。
そこで、前記アーム１４を矢印Ｂ方向に回動させてアーム１４を手摺２と平行状態にするとアーム１４は自重で下方に向ってアーム保持体２２のアーム挿通部２４をスライドする。
このとき、前記３つの物干し竿支持スライダー４２はアーム１４と共に下方に移動するため第１スライド溝３２に配設されている物干し竿支持スライダー４２はアーム保持体２２の上面と当たることによりアーム保持体２２の上で停止する。また、第２スライド溝３４に配設されている物干し竿支持スライダー４２は緩衝リング６４を挟んで第１スライド溝３２の物干し竿支持スライダー４２の上で停止し、第３スライド溝３６に配設されている物干し竿支持スライダー４２は緩衝リング６４を挟んで第２スライド溝３４の物干し竿支持スライダー４２の上で停止する。
従って、図１に示されるように前記アーム１４をブラケット１２に収納した時、３つの物干し竿支持スライダー４２と固定物干し竿支持体４４はブラケット１２よりも上に位置してベランダ１の床面よりも高い所に位置する。
この結果、前記物干し竿７を掛けた状態のままでアーム１４をブラケット１２に収納しても物干し竿７はベランダ１の床面から高い所に位置するので、幼児が物干し竿７に足を掛けて梯子のように昇ることを確実に防止することができる。
また、本発明の物干し竿支持装置１０は、アーム１４の収納時に物干し竿７を支持している３つの物干し竿支持スライダー４２が下方にスライドしてブラケット１２に近づいてベランダ１の手摺２に隠れるようになるので建物の外から物干し竿７が見え難く、外観品質が低下するのを防止できる。
さらに、本発明の物干し竿支持装置１０は物干し竿７を掛けたままアーム１４を収納しても物干し竿７はベランダ１の床面１Ａから高い位置に位置するので、物干し竿支持装置１０をベランダ１の手摺２に取り付ける場合は物干し竿支持装置１０の取付位置に神経質になることがないので取付施工効率を低下させることがない。
【０００９】
なお、実施例ではアーム１４に３個の物干し竿支持スライダー４２をスライド可能に取り付けた例を示したが、アーム１４に取り付ける物干し竿支持スライダー４２の数は２個以下でも４個以上でもよいことは勿論である。
【００１０】
また、実施例では物干し竿支持装置１０を使用する場合にアーム１４が傾斜状態になるタイプの物干し竿支持装置１０を説明したが、アーム１４がベランダ１の床面１Ａと平行状態になるタイプの物干し竿支持装置でもよいことは勿論である。
【図面の簡単な説明】
【００１１】
【図１】実施例のアームを収納状態にした時の物干し竿支持装置の側面図である。
【図２】実施例の物干し竿支持装置の使用時の側面図である。
【図３】実施例の物干し竿支持装置の使用時の背面斜視図である。
【図４】実施例の物干し竿支持装置の一部拡大縦断面図である。
【図５】実施例の物干し竿支持装置の一部拡大縦断面図である。
【図６】実施例の物干し竿支持装置のアーム保持体の平面図である。
【図７】実施例の物干し竿支持装置のアームの背面図である。
【図８】実施例の物干し竿支持装置の物干し竿支持スライダーの斜視図である。
【図９】実施例の物干し竿支持装置の物干し竿支持スライダーの分解斜視図である。
【図１０】従来の物干し竿支持装置の全体斜視図である。
【図１１】従来の物干し竿支持装置の使用状態を示す側面図である。
【図１２】アームを収納状態にした時の従来の物干し竿支持装置の側面図である。
【符号の説明】
【００１２】
１０    物干し竿支持装置
１２    ブラケット
１４    アーム
３２    第１スライド溝
３４    第２スライド溝
３６    第３スライド溝
４２    物干し竿支持スライダー
４４    固定物干し竿支持体
５０    物干し竿支持本体
５４    物干し竿支持部
５６    物干し竿挿入孔
５８    スライダー本体
６４    緩衝リング
【図１】
2006043250.tif 000003
【図２】
2006043250.tif 000004
【図３】
2006043250.tif 000005
【図４】
2006043250.tif 000006
【図５】
2006043250.tif 000007
【図６】
2006043250.tif 000008
【図７】
2006043250.tif 000009
【図８】
2006043250.tif 000010
【図９】
2006043250.tif 000011
【図１０】
2006043250.tif 000012
【図１１】
2006043250.tif 000013
【図１２】
2006043250.tif 000014